(57)【要約】【課題】自動記録機能によって記録媒体に記録された情報を自動的に削除すること。【解決手段】配信された番組情報に含まれる映像音声情報をハードディスク等の記録媒体に記録するとともに、記録した映像音声情報を再生する記録再生装置１０において、提供された電子番組表に基づいて、配信された番組情報の中から、予め指定されたキーワードに合致する番組の映像音声情報をＴＶチューナー部２１に取得させ、この取得された映像音声情報を、記録媒体に設けられた自動削除用フォルダに記録させる予約情報管理部１７ａと、自動削除用フォルダに記録された映像音声情報のうちの何れかを、予め定めた削除規則に従って削除する削除処理部１７ｂとを備える。【選択図】図１
2006323896.tif 000002
【特許請求の範囲】
【請求項１】
配信された番組情報に含まれる映像音声情報を記録媒体に記録するとともに、記録した映像音声情報を再生する記録再生装置において、
提供された電子番組表に基づいて、配信された番組情報の中から、予め指定されたキーワードに合致する番組の映像音声情報を取得する取得手段と、
前記取得手段によって取得された映像音声情報を、前記記録媒体に設けられた第１のフォルダに記録する記録手段と、
前記第１のフォルダに記録された映像音声情報のうちの何れかを、予め定めた削除規則に従って削除する削除手段と
を備えた記録再生装置。
【請求項２】
請求項１に記載の記録再生装置において、
前記第１のフォルダに記録された全ての映像音声情報の合計サイズを検出する検出手段を更に備え、
前記削除手段は、前記検出手段によって検出された合計サイズが、予め定めた値を超えた場合に、前記第１のフォルダに記録された映像音声情報のうちの何れかを削除するようにした記録再生装置。
【請求項３】
請求項１に記載の記録再生装置において、
前記第１のフォルダに記録された全ての映像音声情報の合計サイズを検出する検出手段を更に備え、
前記削除手段は、前記検出手段によって検出された合計サイズが、予め定めた値を超えた場合には、前記第１のフォルダに記録された各映像音声情報に対して保存優先順位を決定し、前記保存優先順位の低い映像音声情報から順に、前記合計サイズが、所定値以下になるまで削除するようにした記録再生装置。
【請求項４】
配信された番組情報に含まれる映像音声情報を記録媒体に記録するとともに、記録した映像音声情報を再生する記録再生装置において、
提供された電子番組表に基づいて、配信された番組情報の中から、予め指定されたキーワードに合致する番組の映像音声情報を取得する取得手段と、
前記取得手段によって取得された映像音声情報を、前記記録媒体に記録する記録手段と、
前記取得手段によって取得された映像音声情報に、削除対象フラグを関連付けるフラグ手段と、
前記記録媒体に記録された映像音声情報のうち、前記フラグ手段によって削除対象フラグが関連付けられた映像音声情報の何れかを、予め定めた削除規則に従って削除する削除手段と
を備えた記録再生装置。
【請求項５】
請求項４に記載の記録再生装置において、
前記記録媒体に記録された映像音声情報のうち、前記フラグ手段によって削除対象フラグが関連付けられた全ての映像音声情報の合計サイズを検出する検出手段を更に備え、
前記削除手段は、前記検出手段によって検出された合計サイズが、予め定めた値を超えた場合に、前記記録媒体に記録された映像音声情報のうち、前記フラグ手段によって削除対象フラグが関連付けられた映像音声情報の何れかを削除するようにした記録再生装置。
【請求項６】
請求項４に記載の記録再生装置において、
前記記録媒体に記録された映像音声情報のうち、前記フラグ手段によって削除対象フラグが関連付けられた全ての映像音声情報の合計サイズを検出する検出手段を更に備え、
前記削除手段は、前記検出手段によって検出された合計サイズが、予め定めた値を超えた場合には、前記記録媒体に記録された映像音声情報のうち、前記フラグ手段によって削除対象フラグが関連付けられた各映像音声情報に対して保存優先順位を決定し、前記保存優先順位の低い映像音声情報から順に、前記合計サイズが、所定値以下になるまで削除するようにした記録再生装置。
【請求項７】
配信された番組情報に含まれる映像音声情報を記録媒体に記録するとともに、記録した映像音声情報を再生する記録再生装置において、前記記録媒体に記録された映像音声情報を削除する方法であって、
提供された電子番組表に基づいて、配信された番組情報の中から、予め指定されたキーワードに合致する番組の映像音声情報を取得する工程と、
前記取得された映像音声情報を、前記記録媒体に設けられた第１のフォルダに記録する工程と、
前記第１のフォルダに記録された映像音声情報のうちの何れかを、予め定めた削除規則に従って削除する工程と
を備えた削除方法。
【請求項８】
請求項７に記載の削除方法において、
前記第１のフォルダに記録された全ての映像音声情報の合計サイズを検出する工程を更に備え、
前記削除する工程では、前記検出された合計サイズが、予め定めた値を超えた場合に、前記第１のフォルダに記録された映像音声情報のうちの何れかを削除するようにした削除方法。
【請求項９】
請求項７に記載の削除方法において、
前記第１のフォルダに記録された全ての映像音声情報の合計サイズを検出する工程を更に備え、
前記削除する工程では、前記検出された合計サイズが、予め定めた値を超えた場合には、前記第１のフォルダに記録された各映像音声情報に対して保存優先順位を決定し、前記保存優先順位の低い映像音声情報から順に、前記合計サイズが、所定値以下になるまで削除するようにした削除方法。
【請求項１０】
配信された番組情報に含まれる映像音声情報を記録媒体に記録するとともに、記録した映像音声情報を再生する記録再生装置において、前記記録媒体に記録された映像音声情報を削除する方法であって、
提供された電子番組表に基づいて、配信された番組情報の中から、予め指定されたキーワードに合致する番組の映像音声情報を取得する工程と、
前記取得された映像音声情報を、前記記録媒体に記録する工程と、
前記取得された映像音声情報に、削除対象フラグを関連付ける工程と、
前記記録媒体に記録された映像音声情報のうち、前記削除対象フラグが関連付けられた映像音声情報の何れかを、予め定めた削除規則に従って削除する工程と
を備えた削除方法。
【請求項１１】
請求項１０に記載の削除方法において、
前記記録媒体に記録された映像音声情報のうち、前記削除対象フラグが関連付けられた全ての映像音声情報の合計サイズを検出する工程を更に備え、
前記削除する工程では、前記検出された合計サイズが、予め定めた値を超えた場合に、前記記録媒体に記録された映像音声情報のうち、前記削除対象フラグが関連付けられた映像音声情報の何れかを削除するようにした削除方法。
【請求項１２】
請求項１０に記載の削除方法において、
前記記録媒体に記録された映像音声情報のうち、前記削除対象フラグが関連付けられた全ての映像音声情報の合計サイズを検出する工程を更に備え、
前記削除する工程では、前記検出された合計サイズが、予め定めた値を超えた場合には、前記記録媒体に記録された映像音声情報のうち、前記削除対象フラグが関連付けられた各映像音声情報に対して保存優先順位を決定し、前記保存優先順位の低い映像音声情報から順に、前記合計サイズが、所定値以下になるまで削除するようにした削除方法。
【発明の詳細な説明】
【技術分野】
【０００１】
本発明は、例えばハードディスク等の記録媒体に音声や映像等の情報を記録し、この記録した情報を再生する記録再生装置に関し、更に詳しくは、記録媒体に記録された情報を、自動的に削除する機能を備えた記録再生装置、及びこの機能を実現する削除方法に関する。
【背景技術】
【０００２】
近年、ＤＶＤレコーダなど、ハードディスク等の大容量の記録媒体を備え、音声や映像等の情報を記録し、この記録した情報を再生する記録再生装置の発展が著しい。
【０００３】
特に最近では、衛星放送や、デジタルテレビ放送の普及とも相俟って、大容量の記録媒体の能力を最大限に利用すべく、電子番組表に基づいて、ユーザが指定したキーワードにヒットした番組の映像音声情報を自動的に取得し、記録媒体に記録することができる仕組みを備えた記録再生装置も登場するに至っている。
【０００４】
このような自動記録機能を備えた記録再生装置を用いることによって、ユーザは、新聞や雑誌等の番組表から好みの番組を探して手動で予約操作をする必要は少なくなり、利便性が向上したのみならず、好みの番組を見逃すことも少なくなった。
【特許文献１】特開２００４−８６２８８号公報
【特許文献２】特開２０００−２１１３６号公報
【発明の開示】
【発明が解決しようとする課題】
【０００５】
しかしながら、このような従来の自動記録機能を備えた記録再生装置では、以下のような問題がある。
【０００６】
すなわち、上述したような自動記録機能を備えた記録再生装置では、キーワードにヒットした番組が機械的に次々に記録されてしまう。一方、記録媒体の容量については、年々大容量化する方向にあるものの、何れにせよ有限であることには変わりない。
【０００７】
したがって、このように自動記録をさせてゆくと、いつかは、記録媒体の記録容量が使い果たされてしまう。このように記録媒体の記録容量が使い果たされてしまうと、当然のことながら、新たにキーワードにヒットした番組があったとしても記録することはできない。
【０００８】
したがって、ユーザは、記録媒体にどのような番組が記録されているのかを、まめにチェックし、保存しておく必要のない番組の情報を削除することによって、新たに記録する番組のための容量を確保しなければならない。しかしながら、これは、甚だ面倒である。
【０００９】
更に、上述したような自動記録機能を備えた記録再生装置では、キーワードの設定の仕方が粗かったり、キーワードの設定の仕方が悪かったりすると、必ずしも意図していなかったような、さほど重要でもないような番組も次々に記録されてしまうことになる。その結果、ユーザの気付かないうちに、あるいはユーザが予想していたよりも早く記録媒体の記録容量が使い果たされてしまい、それ以降に重要な内容を含む番組があったとしても、もはやそれを記録することができなくなっている恐れもある。
【００１０】
本発明はこのような事情に鑑みてなされたものであり、自動記録機能によって記録媒体に記録された情報のうちの何れかを、予め定めた削除規則に従って自動的に削除し、もって、記録容量が不足して新たな番組を記録することができなくなることを回避することが可能な記録再生装置、及びこの記録再生装置に適用される削除方法を提供することを目的とする。
【００１１】
なお、記録媒体に記録した情報を自動的に削除する技術としては、上記特許文献１があるが、これは、ユーザ設定により記録媒体に記録された情報を自動削除する技術であり、自動記録機能によって記録媒体に記録された情報を自動削除する技術ではない。
【課題を解決するための手段】
【００１２】
上記の目的を達成するために、本発明では、以下のような手段を講じる。
【００１３】
すなわち、本発明は、配信された番組情報に含まれる映像音声情報を記録媒体に記録するとともに、記録した映像音声情報を再生する記録再生装置、及びこの記録再生装置において、記録媒体に記録された映像音声情報を削除する方法である。
【００１４】
このような本発明では、提供された電子番組表に基づいて、配信された番組情報の中から、予め指定されたキーワードに合致する番組の映像音声情報を取得し、取得した映像音声情報を、記録媒体に設けられた第１のフォルダに記録し、第１のフォルダに記録された映像音声情報のうちの何れかを、予め定めた削除規則に従って削除する。
【００１５】
更に、第１のフォルダに記録された全ての映像音声情報の合計サイズを検出し、検出された合計サイズが、予め定めた値を超えた場合に、第１のフォルダに記録された映像音声情報のうちの何れかを削除しても良い。
【００１６】
あるいは、検出された合計サイズが、予め定めた値を超えた場合に、第１のフォルダに記録された各映像音声情報に対して保存優先順位を決定し、保存優先順位の低い映像音声情報から順に、合計サイズが、所定値以下になるまで削除しても良い。
【００１７】
また、本発明は、上述したような第１のフォルダを設ける代わりに、以下のように、削除対象フラグを用いることによっても実施することが可能である。この場合、提供された電子番組表に基づいて、配信された番組情報の中から、予め指定されたキーワードに合致する番組の映像音声情報を取得し、この取得した映像音声情報を、記録媒体に記録する。また、取得した映像音声情報に、削除対象フラグを関連付け、記録媒体に記録された映像音声情報のうち、削除対象フラグが関連付けられた映像音声情報の何れかを、予め定めた削除規則に従って削除する。
【００１８】
この場合更に、記録媒体に記録された映像音声情報のうち、削除対象フラグが関連付けられた全ての映像音声情報の合計サイズを検出し、検出された合計サイズが、予め定めた値を超えた場合に、記録媒体に記録された映像音声情報のうち、削除対象フラグが関連付けられた映像音声情報の何れかを削除しても良い。
【００１９】
あるいは、検出された合計サイズが、予め定めた値を超えた場合に、記録媒体に記録された映像音声情報のうち、削除対象フラグが関連付けられた各映像音声情報に対して保存優先順位を決定し、保存優先順位の低い映像音声情報から順に、合計サイズが、所定値以下になるまで削除しても良い。
【発明の効果】
【００２０】
本発明によれば、自動記録機能によって記録媒体に記録された情報のうちの何れかを、予め定めた削除規則に従って自動的に削除し、もって、記録容量が不足して新たな番組を記録することができなくなることを回避することが可能な記録再生装置、及びこの記録再生装置に適用される削除方法を実現することができる。
【発明を実施するための最良の形態】
【００２１】
以下に、本発明を実施するための最良の形態について図面を参照しながら説明する。
【００２２】
（第１の実施の形態）
本発明の第１の実施の形態を説明する。
【００２３】
図１は、第１の実施の形態に係る削除方法を適用した記録再生装置１０の一例を示す機能構成図である。
【００２４】
この記録再生装置１０は、配信された番組情報に含まれる映像音声情報を記録媒体に記録するとともに、記録した映像音声情報を再生する装置であって、記録媒体としてＤＶＤ−ＲＡＭ（Random Access Memory）とハードディスクとの双方を取り扱うことができる装置として示しているが、ハードディスクあるいはＤＶＤ−ＲＡＭは、例えば半導体メモリによる記録媒体などに置換されてもよい。
【００２５】
図１に示す記録再生装置１０の各ブロックを大きく分けると、図中左側には記録部の主なブロックを示し、図中右側には再生部の主なブロックを示している。
【００２６】
図１に示す記録再生装置１０は、２種類のディスクドライブ部を有する。まず、ビデオファイルを構築できる情報記録媒体である第１のメディアとしての光ディスク１１を回転駆動し、情報の読み書きを実行するディスクドライブ部１２を有する。
【００２７】
また、第２のメディアとしてのハードディスクを駆動するハードディスクドライブ部（ＨＤＤ部）１３を有する。データプロセッサ部（Ｄ−ＰＲＯ部）１４は、ディスクドライブ部１２及びハードディスクドライブ部１３に記録データを供給することができ、また、再生された信号を受け取ることができる。ディスクドライブ部１２は、光ディスク１１に対する回転制御系、レーザ駆動系、光学系等を有する。
【００２８】
データプロセッサ部１４は、記録又は再生単位のデータを取り扱うもので、バッファ回路、変調・復調回路、エラー訂正部等を含む。
【００２９】
また、図１に示す記録再生装置１０は、録画側を構成するエンコーダ部１５と、再生側を構成するデコーダ部１６と、記録再生装置１０本体の動作を制御するマイクロコンピュータブロック１７とを主たる構成要素としている。
【００３０】
エンコーダ部１５は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００３１】
エンコーダ部１５の出力は、バッファメモリ１８を含むフォーマッタ１９にて所定のＤＶＤ−ＲＡＭのフォーマットに変換され、先のデータプロセッサ部１４に供給される。
【００３２】
エンコーダ部１５には、Ａ／Ｖ（Audio Video）入力部２０からの外部アナログビデオ信号と外部アナログオーディオ信号、あるいは、配信される番組情報を受信するＴＶ（Television）チューナー部２１からのアナログビデオ信号とアナログオーディオ信号とが入力される。
【００３３】
なお、エンコーダ部１５は、直接圧縮されたデジタルビデオ信号やデジタルオーディオ信号が直接入力されるときは、圧縮デジタルビデオ信号やデジタルオーディオ信号を直接フォーマッタ１９に供給することもできる。また、エンコーダ部１５は、アナログデジタル変換されたデジタルビデオ信号やオーディオ信号等を、ビデオミキシング部２２やオーディオセレクタ２３に直接供給することもできる。
【００３４】
エンコーダ部１５に含まれるビデオエンコーダでは、デジタルビデオ信号はＭＰＥＧ２又はＭＰＥＧ１規格に基づいた可変ビットレートで圧縮されたデジタルビデオ信号に変換される。デジタルオーディオ信号は、ＭＰＥＧ又はＡＣ（Audio Compression）−３規格に基づいて固定ビットレートで圧縮されたデジタルオーディオ信号、あるいはリニアＰＣＭ（Pulse Code Modulation）のデジタルオーディオ信号に変換される。
【００３５】
副映像信号がＡ／Ｖ入力部２０から入力された場合（例えば副映像信号の独立出力端子付ＤＶＤビデオプレーヤからの信号等）、あるいはこのようなデータ構成のＤＶＤビデオ信号が放送されて、それがＴＶチューナー部２１で受信された場合は、ＤＶＤビデオ信号中の副映像信号が副映像エンコーダでエンコード（ランレングス符号化）されて副映像のビットマップとなる。
【００３６】
エンコードされたデジタルビデオ信号、デジタルオーディオ信号、副映像データは、フォーマッタ１９にてパック化され、ビデオパック、オーディオパック、副映像パックとなり、さらに、これらが集合されてＤＶＤ−レコーディング規格［例えばＤＶＤ−ＲＡＭ、ＤＶＤ−Ｒ（Recordable）、ＤＶＤ−ＲＷ（Rewritable）等に記録する規格］で規定されたフォーマットに変換される。
【００３７】
ここで、図１における記録再生装置１０は、フォーマッタ１９でフォーマット化された情報（ビデオ、オーディオ、副映像データ等のパック）及び作成された管理情報を、データプロセッサ部１４を介してハードディスクドライブ部１３あるいはディスクドライブ部１２に供給し、ハードディスクあるいは光ディスク１１に記録することができる。
【００３８】
また、ハードディスクあるいは光ディスク１１に記録された情報を、データプロセッサ部１４、ディスクドライブ部１２を介して光ディスク１１あるいはハードディスクに記録することもできる。
【００３９】
また、ハードディスクあるいは光ディスク１１に記録されている複数番組のビデオオブジェクトを一部削除したり、異なる番組のオブジェクトをつなげたりといった編集処理を行なうこともできる。これは、この実施の形態にかかるフォーマットが取り扱うデータ単位を定義し、編集を容易にしているからである。
【００４０】
マイクロコンピュータブロック１７は、予約情報管理部１７ａと、削除処理部１７ｂと、フォルダ情報管理部１７ｃと、総サイズ検出部１７ｄと、番組情報管理部１７ｅと、ワークＲＡＭ１７ｆと、フォルダ検出部１７ｇと、ＭＰＵ（Micro Processing Unit）、又はＣＰＵ（Central Processing Unit）と、制御プログラム等が書きこまれたＲＯＭ（Read Only Memory）（図示せず）と、プログラム実行に必要なワークエリアを提供するためのＲＡＭ（図示せず）とを含んでいる。
【００４１】
マイクロコンピュータブロック１７のＭＰＵは、先のＲＯＭに格納された制御プログラムに従い、このＲＡＭをワークエリアとして用いて、欠陥場所検出、未記録領域検出、録画情報記録位置設定、ＵＤＦ（Universal Disk Format）記録、Ａ／Ｖアドレス設定等を実行する。
【００４２】
また、マイクロコンピュータブロック１７は、システム全体を制御するために必要な情報処理機能を有するもので、ワークＲＡＭ１７ｆ、フォルダ検出部１７ｇの他に、図示しないがＶＭＧ（全体のビデオ管理情報）情報作成部、コピー関連情報検出部、コピー及びスクランブリング情報処理部［ＲＤＩ（Real Time Data Information）処理部］、パケットヘッダ処理部、シーケンスヘッダ処理部、アスペクト比情報処理部等を備える。
【００４３】
ＭＰＵの実行結果のうち、ユーザに通知すべき内容は、記録再生装置１０の表示部２４に表示されるか、又はモニターディスプレイ２５にＯＳＤ（On Screen Display）表示される。また、マイクロコンピュータブロック１７は、この装置を操作するための操作信号を与えるキー入力部２６を有する。
【００４４】
なお、マイクロコンピュータブロック１７が、ディスクドライブ部１２、ハードディスクドライブ部１３、データプロセッサ部１４、エンコーダ部１５及び／又はデコーダ部１６等を制御するタイミングは、ＳＴＣ（System Time Clock）２７からの時間データに基づいて行う。録画や再生の動作は、通常は、ＳＴＣ２７からのタイムクロックに同期して実行されるが、それ以外の処理はＳＴＣ２７とは独立したタイミングで実行されてもよい。
【００４５】
デコーダ部１６は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰ（Sub Picture）デコーダと、セパレータで分離されたオーディオデータ（オーディオパックの内容）をデコードするＡデコーダとを有する。また、デコードされた主映像にデコードされた副映像を適宜合成し、主映像にメニュー、ハイライトボタン、字幕やその他の副映像を重ねて出力するビデオプロセッサを備えている。
【００４６】
デコーダ部１６の出力ビデオ信号は、ビデオミキシング部２２に入力される。ビデオミキシング部２２では、テキストデータの合成が行なわれる。また、ビデオミキシング部２２には、ＴＶチューナー部２１やＡ／Ｖ入力部２０からの信号を直接取り込むラインも接続されている。
【００４７】
ビデオミキシング部２２には、バッファとして用いるフレームメモリ２８が接続されている。ビデオミキシング部２２の出力がアナログ出力の場合はＩ／Ｆ（interface）２９を介して外部出力され、デジタル出力の場合はデジタルアナログ変換器（Ｄ／Ａ）３０を介してモニターディスプレイ２５に出力される。
【００４８】
デコーダ部１６の出力オーディオ信号は、オーディオセレクタ２３を介してデジタルアナログ変換器（Ｄ／Ａ）３１でアナログ変換されスピーカ３２に出力される。このオーディオセレクタ２３は、マイクロコンピュータブロック１７からのセレクト信号により制御される。これにより、オーディオセレクタ２３は、ＴＶチューナー部２１やＡ／Ｖ入力部２０からのデジタル信号を直接モニタするとき、エンコーダ部１５をスルーした信号を直接選択することも可能である。
【００４９】
なお、エンコーダ部１５のフォーマッタ１９では、録画中、各切り分け情報を作成し、定期的にマイクロコンピュータブロック１７のＭＰＵに送る［ＧＯＰ（Group Of Picture）先頭割り込み時等の情報］。切り分け情報としては、ＶＯＢＵ（Video Object Unit）のパック数、ＶＯＢＵ先頭からのＩ（Intra）ピクチャのエンドアドレス、ＶＯＢＵの再生時間等である。
【００５０】
同時に、アスペクト比情報処理部からの情報を録画開始時にＭＰＵに送り、ＭＰＵはＶＯＢ（Video Object）ストリーム情報（ＳＴＩ）を作成する。ここで、ＳＴＩは、解像度データ、アスペクトデータ等を保存し、再生時、各デコーダ部ではこの情報を元に初期設定が行なわれる。
【００５１】
また、この記録再生装置１０では、ビデオファイルは１ディスクに１ファイルとしている。また、データをアクセス（シーク）している間に、途切れないで再生を続けるために、最低限連続する情報単位（サイズ）を決めている。この単位をＣＤＡ（Contiguous Data Area）という。ＣＤＡサイズは、ＥＣＣ（Error Correcting Code）ブロック（１６セクタ）の倍数であり、ファイルシステムではこのＣＤＡ単位で記録を行なっている。
【００５２】
データプロセッサ部１４は、エンコーダ部１５のフォーマッタ１９からＶＯＢＵ単位のデータを受け取り、ＣＤＡ単位のデータをディスクドライブ部１２あるいはハードディスクドライブ部１３に供給している。
【００５３】
また、マイクロコンピュータブロック１７のＭＰＵは、記録した映像音声情報を再生するのに必要な管理情報を作成し、データ記録終了のコマンドを認識すると、作成した管理情報をデータプロセッサ部１４に送る。これにより、管理情報がディスクに記録される。
【００５４】
従って、エンコードが行なわれているとき、エンコーダ部１５からマイクロコンピュータブロック１７のＭＰＵは、データ単位の情報（切り分け情報等）を受け取る。
【００５５】
次に、図２を使用して、リアルタイムＤＶＤの管理情報と、映像音声情報の例としてのビデオオブジェクトとの関係を簡単に説明する。
【００５６】
図２において、まずビデオオブジェクト（ＶＯＢ）について説明する。ＶＯＢは、ディレクトリではＶＲ＿ＭＯＶＩＥ．ＶＲＯファイルと称される。ビデオファイルは階層構造であり、１つのファイルは１つ又は複数のＶＯＢで構成され、１つのＶＯＢは１つ又は複数のＶＯＢＵで構成され、１つのＶＯＢＵは複数パックから構成される。複数のパックとしては、ＲＤＩパック、Ｖ（ビデオ）パック、Ａ（オーディオ）パック等が存在する。ＳＰ（副映像）パックが存在してもよい。
【００５７】
ＲＤＩパックは、ユニット制御情報パック、あるいはナビゲーション情報パック、あるいはリアルタイムデータ情報パック（ＲＤＩ＿ＰＣＫ）と称される。このパックには、これが属するＶＯＢＵの最初のフィールドが再生される開始時間を示す情報、当該ＶＯＢＵの記録時を示す情報、製造者情報（ＭＮＦＩ）等を含む。また、ディスプレイ制御情報（ＤＣＩ）及びコピーコントロール情報（ＣＣＩ）を含む。ディスプレイ制御情報は、アスペクト比情報、サブタイトルモード情報、フィルムカメラモード情報を示す。また、コピーコントロール情報は、コピー許可情報、又はコピー禁止（非許可）情報を含む。
【００５８】
Ｖパックは、ビデオデータがＭＰＥＧ２の方式で圧縮されたもので、パックヘッダ、パケットヘッダ、ビデオデータ部で構成される。Ａパックは、オーディオデータが、例えばリニアＰＣＭあるいはＭＰＥＧ、あるいはＡＣ−３等の方式で処理されたものであり、パックヘッダ、パケットヘッダ、オーディオデータ部で構成される。
【００５９】
管理情報は、ビデオマネジャー（ＶＭＧ）と称され、その中にデータ再生順序を管理するプログラムチェーン（ＰＧＣ）が定義されている。このプログラムチェーン（ＰＧＣ）には、セル（Ｃｅｌｌ）が定義されている。セル（Ｃｅｌｌ）は、再生すべき対象となるビデオオブジェクト（ＶＯＢ）に関する情報であるビデオオブジェクト情報（ＶＯＢＩ）とリンクしている。
【００６０】
ＰＧＣの具体的情報を記録してある部分が、プログラムチェーン情報（ＰＧＣＩ）部分である。ＰＧＣＩには２種類が存在し、１つはオリジナルＰＧＣＩ（ＯＲＧ＿ＰＧＣＩ）、もう１つはユーザデファインドプログラムチェーン情報テーブル（ＵＤ＿ＰＧＣＩＴ）である。
【００６１】
通常、記録時には、オリジナルＰＧＣが作成される。ユーザデファインドＰＧＣＩは、それ自身のビデオオブジェクトを持たず、図２に示すように、オリジナルＰＧＣのビデオオブジェクト情報（ＶＯＢＩ）に対してリンクしているユーザデファインドセル（ＵＤ＿Ｃｅｌｌ）を編集（削除、追加）することでプレイリストとして作成される。
【００６２】
ＶＯＢＩ内には、タイムマップ（ＴＭＡＰ）が記述されており、このＴＭＡＰはＶＯＢＩに対応するＶＯＢを構成しているＶＯＢＵを指定する。セルからＶＯＢＩへのリンクは、論理アドレスで特定されている。また、ＴＭＡＰ情報からＶＯＢ及びＶＯＢＵへのリンクは、ＶＯＢのストリーム番号、このＶＯＢ内のＶＯＢＵの数、各ＶＯＢＵに対するエントリー番号、各ターゲットＶＯＢＵへの論理アドレスに基づいて行なわれている。
【００６３】
次に、管理情報の中のプログラムチェーン情報（ＰＧＣＩ）の階層を説明する。先に述べたように、プログラムチェーン情報には、オリジナルプログラムチェーン情報（ＯＲＧ＿ＰＧＣＩ）とユーザデファインドプログラムチェーン情報（ＵＤ＿ＰＧＣＩ）の２つのタイプがある。
【００６４】
ＯＲＧ＿ＰＧＣＩは、録画再生装置により、オリジナルプログラムが記録されるときに自動的に作成される管理情報であり、１ディスクに１種類である。これに対し、ＵＤ＿ＰＧＣＩは、記録された複数のオリジナルプログラムの中の一部の部分をユーザが任意に指定し、その再生順序を設定することにより作成されたプレイリストとしての管理情報である。そのためＵＤ＿ＰＧＣＩは、複数を設定することができる。
【００６５】
図３は、オリジナルプログラムチェーン情報の階層構造を示している。オリジナルプログラムチェーン情報（ＯＲＧ＿ＰＧＣＩ）は、プログラムチェーン一般情報（ＰＧＣ＿ＧＩ）と、プログラム情報（ＰＧＩ）と、セル情報サーチポインタ（ＣＩ＿ＳＲＰ）と、セル情報（ＣＩ）とを含む。
【００６６】
ＰＧＣ＿ＧＩには、プログラムチェーンにより再生されるプログラムがいくつ存在するかを示すプログラム数（ＰＧ＿Ｎｓ）、セルサーチポインタがいくつ存在するかを示すセルサーチポインタ数（ＣＩ＿ＳＲＰ＿Ｎｓ）が記述されている。図３の例では、プログラム情報ＰＧＩ ＃１からＰＧＩ ＃ｍまでが存在し、この１つ１つのＰＧＩがオリジナルタイトルであるプログラムに相当する。また、セルサーチポインタＣＩ＿ＳＲＰ ＃１からＣＩ＿ＳＲＰ ＃ｎが存在する。
【００６７】
プログラム情報（ＰＧＩ）には、プログラムタイプ（ＰＧ＿ＴＹ）と、このプログラムのセル数（Ｃ＿Ｎｓ）と、このプログラムの代表画像情報（ＲＥＰ＿ＰＩＣＴＩ）とが含まれる。代表画像情報ＲＥＰ＿ＰＩＣＴＩは、代表画像のセル番号、及びこのセルの中のピクチャーポイントを記述している。
【００６８】
セルサーチポインタＣＩ＿ＳＲＰは、対応するセル情報（ＣＩ）の記述アドレスを示している。
【００６９】
セル情報（ＣＩ）の記述内容を、ムービーセルの場合とスチルセルの場合とに分けて説明する。
【００７０】
まず、ムービーセルの場合、セル情報にはムービーセル一般情報（Ｍ＿Ｃ＿ＧＩ）と、ムービーセルエントリー情報（Ｍ＿Ｃ＿ＥＰＩ）とが含まれる。ムービーセル一般情報（Ｍ＿Ｃ＿ＧＩ）には、ムービーであるかスチルであるかを示すセルタイプ（Ｃ＿ＴＹ）と、このセルで特定されるＶＯＢを指し示すためのＭ＿ＶＯＢＩ＿ＳＲＰＮと、セルエントリーポイントがいくつあるかを示すセルエントリーポイント情報数（Ｃ＿ＥＰＩ＿Ｎｓ）とが記述されている。また、このセルに対応したビデオのスタートする時間を示すＣ＿Ｖ＿Ｓ＿ＰＴＭ、及び終了時間を示すＣ＿Ｖ＿Ｅ＿ＰＴＭも記述される。また、上記ムービーセルエントリーポイント情報（Ｍ＿Ｃ＿ＥＰＩ）としては、エントリーポイントのタイプ（ＥＰ＿ＴＹ）、及びエントリーポイントのプレゼンテーションタイム（ＥＰ＿ＰＴＭ）が記述されている。
【００７１】
スチルセルの場合、記述されている内容は、上記ムービーセルとほぼ同様である。ただし、スチルセルの場合、少なくとも１つ以上のＶＯＢを含むＶＯＢグループ（ＶＯＧ）とセルとがリンクしているため、Ｓ＿ＶＯＧＩ＿ＳＲＰＮとして表わされる。
【００７２】
また、プレゼンテーションタイム（ＰＴＭ）に代えて、このスチルセルに対応したＶＯＢグループ（ＶＯＧ）の開始ＶＯＢ番号を示すＳ＿Ｓ＿ＶＯＢ＿ＥＮＴＮ、及び終了ＶＯＢ番号を示すＥ＿Ｓ＿ＶＯＢ＿ＥＮＴＮが記述される。スチルセルエントリーポイント情報（Ｓ＿Ｃ＿ＥＰＩ）においても、ＰＴＭに代えてスチルＶＯＢエントリー番号（Ｓ＿ＶＯＢ＿ＥＮＴＮ）が記述される。
【００７３】
これに準じて、上記プログラムの代表画像情報（ＲＥＰ＿ＰＩＣＴＩ）の記述においても、代表画像が存在するセルとしてムービーセルが指定された場合はセルの中のピクチャーポイントとしてＰＴＭが、スチルセルが指定された場合はセルの中のピクチャーポイントとしてスチルＶＯＢエントリー番号（Ｓ＿ＶＯＢ＿ＥＮＴＮ）が記述される。
【００７４】
図４は、上記ユーザデファインドプログラムチェーン情報の階層構造を示している。ユーザデファインドプログラムチェーン情報テーブル（ＵＤ＿ＰＧＣＩＴ）には、ユーザデファインドプログラムチェーン情報テーブル情報（ＵＤ＿ＰＧＣＩＴＩ）と、ユーザデファインドプログラムチェーン情報サーチポインタ（ＵＤ＿ＰＧＣＩ＿ＳＲＰ）と、ユーザデファインドプログラムチェーン情報（ＵＤ＿ＰＧＣＩ）とが含まれる。
【００７５】
ＵＤ＿ＰＧＣＩＴＩには、ユーザデファインドプログラムチェーン情報サーチポインタがいくつ存在するかを示すサーチポインタ数（図４には図示されていないが、ＵＤ＿ＰＧＣＩ＿ＳＲＰ＿Ｎｓと略記される）が記述されている。
【００７６】
また、ユーザデファインドプログラムチェーン情報サーチポインタ（ＵＤ＿ＰＧＣＩ＿ＳＲＰ）は、対応するユーザデファインドプログラムチェーン情報（ＵＤ＿ＰＧＣＩ）の記述アドレスを示している。図４の例では、ユーザデファインドプログラムチェーン情報ＵＤ＿ＰＧＣＩ ＃１からＵＤ＿ＰＧＣＩ ＃ｍまでが存在している。
【００７７】
なお、管理情報であるビデオマネジャー（ＶＭＧ）の中では、プログラムチェーン情報とは別の場所にプレイリスト情報が記述されている。この１つ１つのプレイリスト情報の中で、当該プレイリストとリンクしているユーザデファインドプログラムチェーン情報サーチポインタ（ＵＤ＿ＰＧＣＩ＿ＳＲＰ）の番号が記述されている（ＰＧＣＮ）。従ってプログラムチェーン情報としては、１つ１つのＵＤ＿ＰＧＣＩがプレイリストに対応している。
【００７８】
ユーザデファインドプログラムチェーン情報（ＵＤ＿ＰＧＣＩ）のフォーマットは、先に図３を使用して説明したオリジナルプログラムチェーン情報（ＯＲＧ＿ＰＧＣＩ）とほぼ同様のフォーマットである。ただし、ＵＤ＿ＰＧＣＩは、オリジナルプログラムの任意の一部分を組み合わせて構成されるため、ＵＤ＿ＰＧＣＩには先に述べたプログラム情報（ＰＧＩ）は存在しない。そのため、先に述べた、プログラムチェーン情報とは別の場所に記述されているプレイリスト情報の中に、プレイリストタイプ（ＰL＿ＴＹ）と、プレイリストの代表画像情報（ＲＥＰ＿ＰＩＣＴＩ）とが記述されている。セル情報については、ＯＲＧ＿ＰＧＣＩと同様のフォーマットであるため、ここでは説明を省略する。
【００７９】
再び、図１を用いて説明する。マイクロコンピュータブロック１７のＭＰＵは、記録開始時には光ディスク１１及びハードディスクから読み取った管理情報を認識し、各ディスクの未記録エリアを認識し、データ上の記録エリアをデータプロセッサ部１４を介してディスクに設定する。また、マイクロコンピュータブロック１７は、イーサネット（登録商標）３３を介してインターネット等の通信ネットワーク３４と接続している。これによって、電子番組表を提供する電子番組表サーバ３５から電子番組表を取得する。
【００８０】
ユーザは、自動録画の設定を行うために、キー入力部２６からキーワード等の必要な設定情報を入力する。図５は、この設定情報の入力時に表示部２４から表示される案内画面５０の一例である。ユーザは、この案内画面５０に従ってキーワード５０ａ（図５では３つのキーワードが指定できる例を示している）、ジャンル５０ｂ、時間帯５０ｃ、チャンネル５０ｄ、再放送番組を含むか否かの指定５０ｅ、自動録画長さ（一日あたりの最大録画時間）５０ｆ等を入力する。このように入力された設定情報は、予約情報管理部１７ａに送られるようにしている。
【００８１】
予約情報管理部１７ａは、このようにしてキー入力部２６に設定情報が入力されると、イーサネット（登録商標）３３及び通信ネットワーク３４を介して電子番組表サーバ３５から電子番組表を取得し、設定情報に合致する番組を検索する。そして、この検索結果に基づいて、録画予約計画を立案する。更に、ユーザから要求があった場合には、この立案した録画予約計画に基づいて、図６にその一例を示すような録画予約一覧５２を作成し、表示部２４から表示させる。
【００８２】
ユーザは、表示部２４から表示された録画予約一覧５２を参照することによって、自動録画される番組のチャンネル５２ｂ、日付５２ｃ、放映時刻５２ｄ、番組名５２ｅ等を把握することができる。また、自動録画したくない番組については、対象の番組のキャンセル欄５２ａをマウスクリック等により指定することにより、自動録画の対象から外すように設定することもできるようにしている。
【００８３】
また、録画予約一覧５２は、自動削除指定解除欄５２ｆを備えている。記録再生装置１０は、自動録画された番組の情報については、録画予約一覧５２によって、ハードディスクドライブ部１３によって駆動されるハードディスク内に設けられた自動削除用フォルダ（後述する）に格納されるようにしている。しかしながら、自動削除の対象から外したい場合には、自動削除指定解除欄５２ｆをマウスクリック等により指定解除し、自動削除の対象から外すように設定することもできるようにしている。
【００８４】
このような録画予約一覧５２によって指定された情報に基づいて、エンコーダ部１５は、ＴＶチューナー部２１から、該当する番組の情報（管理情報や映像音声情報等を含む）を取得し、エンコード処理を施した後にデータプロセッサ部１４に出力する。
【００８５】
データプロセッサ部１４は、エンコーダ部１５から出力された情報を、録画予約一覧５２に従ってハードディスクドライブ部１３によって駆動されるハードディスク内に書き込み格納する。
【００８６】
図７は、このハードディスクに設けられたフォルダ構造の一例を示す図である。また、図８は、このようなフォルダ構造をとる場合に、表示部２４から表示されるフォルダ一覧画面の一例である。このようなフォルダ構造は、ユーザが、キー入力部２６からフォルダ情報管理部１７ｃに対してフォルダ定義情報を入力すると、フォルダ情報管理部１７ｃが、このフォルダ定義情報に基づいてハードディスクにフォルダを作成することによって設定されるようにしている。図７に示す例では、ハードディスクは、ルートフォルダＡの下に、通常フォルダＢと、自動削除用フォルダＣと、ごみ箱フォルダＤとを備えたフォルダ構造をしている。勿論、これ以外のフォルダを任意に作成することも可能である。更に、ルートフォルダＡの下には、番組情報Ｅが格納されている。
【００８７】
このようなフォルダ構造をなすハードディスクには、自動録画によらずに録画された番組情報は、ルートフォルダＡの下に格納される。したがって、番組情報Ｅは、自動録画によらずに録画された番組に関する番組情報である。
【００８８】
通常フォルダＢは、ルートフォルダＡの下に格納された情報を整理するためのフォルダである。ルートフォルダＡの下に格納された情報の、通常フォルダＢへの移動は、ユーザ操作によってなされる。
【００８９】
自動削除用フォルダＣは、自動録画された番組の情報を格納するためのフォルダである。つまり、自動削除用フォルダＣに格納されている情報は、自動削除される対象となる情報である。上述したように、自動録画された番組の情報については、録画予約一覧５２によって、自動削除用フォルダＣに格納されるように指定されている。したがって、エンコーダ部１５から出力された情報について、データプロセッサ部１４が、録画予約一覧５２を参照することによって、それが自動録画された番組の情報であるか否かを判定し、自動録画された番組の情報であると判定した場合には、自動削除用フォルダＣに格納し、自動録画された番組の情報ではないと判定した場合には、ルートフォルダＡの下に格納する。なお、自動録画された番組の情報であっても、自動削除指定解除がなされている番組の情報については、ルートフォルダＡの下に格納する。
【００９０】
なお、図７では、一例として３つの自動削除用フォルダＣ１〜Ｃ３を示している。これは、設定情報は必ずしも１つであるとは限らないので、例えば３つの設定情報が設定された場合には、第１の設定情報にしたがって録画された番組の情報のための自動削除用フォルダＣ１、第２の設定情報にしたがって録画された番組の情報のための自動削除用フォルダＣ２、第３の設定情報にしたがって録画された番組の情報のための自動削除用フォルダＣ３というように、各設定情報毎に自動削除用フォルダＣを設けた例である。もちろん、複数の設定情報が設定された場合であっても、１つの自動削除用フォルダＣにまとめて格納するようにしても良い。
【００９１】
総サイズ検出部１７ｄは、自動削除用フォルダＣに格納された全ての情報の合計サイズを検出する。図７に示すように、複数の自動削除用フォルダＣ１〜Ｃ３が設けられている場合には、これら全ての自動削除用フォルダＣ１〜Ｃ３に格納された情報を対象として合計サイズを検出する。
【００９２】
番組情報管理部１７ｅは、総サイズ検出部１７ｄによって検出された合計サイズが、予め定めた上限値（例えば１００ＧＢ、あるいはハードディスクの総容量の８０％など）を超えた場合には、自動削除用フォルダＣに格納された情報に対応する番組に対して保存優先順位を決定する。この場合もまた、複数の自動削除用フォルダＣ１〜Ｃ３が設けられている場合には、全ての自動削除用フォルダＣ１〜Ｃ３に格納された情報を対象として保存優先順位を決定する。
【００９３】
この保存優先順位の決め方としては、特許文献２でも開示されているが、例えば、記録日時が古いものや、サイズが大きいものや、次の予約録画で使用が予想されるサイズに近いものについては保存優先順位が低くなるように設定する方法がある。
【００９４】
削除処理部１７ｂは、番組情報管理部１７ｅによって決定された保存優先順位の低い番組の情報から順に、自動削除用フォルダＣに格納された全ての情報の合計サイズが、所定値以下になるまで、自動削除用フォルダＣに格納されている情報を削除する。例えば、この所定値としては、上述した合計サイズの上限値が１００ＧＢの場合、９０ＧＢとする。
【００９５】
なお、本実施の形態に係る削除方法を適用した記録再生装置１０は、自動録画する機能に加えて、ユーザのマニュアル設定で録画する機能を備えているものも含む。マニュアル設定で録画する機能については公知であるので、本明細書では述べない。
【００９６】
次に、以上のように構成した本実施の形態に係る削除方法を適用した記録再生装置の動作について図９に示すフローチャートを用いて説明する。
【００９７】
本発明は、ユーザが指定したキーワードにヒットした番組を自動録画することができる機能を備えた記録再生装置１０に適用される。このような自動録画の設定を行う場合には、例えば図５に示すような案内画面５０に従ってユーザがキー入力部２６から、キーワード５０ａ、ジャンル５０ｂ、時間帯５０ｃ、チャンネル５０ｄ、再放送番組を含むか否かの指定５０ｅ、自動録画長さ（一日あたりの最大録画時間）５０ｆ等の必要な設定情報を入力することによってなされる（Ｓ１）。
【００９８】
このようにしてキー入力部２６から入力された設定情報は、予約情報管理部１７ａに送られる。すると、予約情報管理部１７ａによって、イーサネット（登録商標）３３及び通信ネットワーク３４を介して電子番組表サーバ３５から電子番組表が取得され、設定情報に合致する番組が検索される（Ｓ２）。そして、この検索結果に基づいて、録画予約計画が立案される。そして、ユーザから要求があった場合には、この立案した録画予約計画に基づいて、図６にその一例を示すような録画予約一覧５２が作成され、表示部２４から表示される（Ｓ３）。
【００９９】
このように、表示部２４から表示された録画予約一覧５２を参照することによって、自動録画される番組のチャンネル５２ｂ、日付５２ｃ、放映時刻５２ｄ、番組名５２ｅ等がユーザによって把握される。これに基づいてユーザは、自動録画したくない番組については、対象の番組のキャンセル欄５２ａをマウスクリック等により指定することにより、自動録画の対象から外すように設定することもできる。
【０１００】
なお、本実施の形態に係る記録再生装置１０では、自動録画された番組の情報については、録画予約一覧５２によって、ハードディスクドライブ部１３によって駆動されるハードディスク内に設けられた自動削除用フォルダＣに格納されるように設定されている。しかしながら、ユーザが、自動削除の対象から外したいと希望する番組に対しては、自動削除指定解除欄５２ｆをマウスクリック等によって指定解除し、自動削除の対象から外すように設定することもできる。
【０１０１】
このように必要な設定がなされることによって録画予約一覧５２が確定される（Ｓ４）と、エンコーダ部１５では、確定した録画予約一覧５２に従って、ＴＶチューナー部２１から、該当する番組の情報（管理情報及び映像音声情報）が取得され、エンコード処理が施された後に、データプロセッサ部１４に出力される（Ｓ５）。
【０１０２】
そして、データプロセッサ部１４では、エンコーダ部１５から出力された情報が、録画予約一覧５２に従って、ハードディスクドライブ部１３によって駆動されるハードディスク内に書き込まれる（Ｓ６）。自動録画された番組の情報は、原則的には、ハードディスク内の自動削除用フォルダＣに書き込まれ、そこに格納される。しかしながら、自動削除指定解除欄５２ｆがマウスクリック等されることにより指定解除されている番組の情報については、マニュアルで録画設定された番組と同様にルートフォルダＡの下に書き込まれる。
【０１０３】
このようにして自動削除用フォルダＣに情報が格納されると、総サイズ検出部１７ｄによって、自動削除用フォルダＣに格納された全ての情報の合計サイズが検出される（Ｓ７）。図７及び図８に示すように、複数の自動削除用フォルダＣが設けられている場合には、全ての自動削除用フォルダＣに格納された情報を対象として合計サイズが検出される。
【０１０４】
そして、番組情報管理部１７ｅによって、総サイズ検出部１７ｄによって検出された合計サイズが、予め定めた上限値（例えば１００ＧＢ、あるいはハードディスクの総容量の８０％など）を超えたと判定された場合（Ｓ８：Ｙｅｓ）には、自動削除用フォルダＣに格納された情報に対応する番組に対して保存優先順位が決定される（Ｓ９）。この場合もまた、複数の自動削除用フォルダＣが設けられている場合には、全ての自動削除用フォルダＣに格納された情報を対象として保存優先順位が決定される。
【０１０５】
この保存優先順位の決め方としては、例えば、記録日時が古い番組の情報や、サイズが大きい番組の情報や、次の予約録画で使用が予想される番組の情報のサイズに近い情報については保存優先順位が低くなるように設定される。
【０１０６】
なお、番組情報管理部１７ｅによって、総サイズ検出部１７ｄによって検出された合計サイズが、予め定めた上限値（例えば１００ＧＢ、あるいはハードディスクの総容量の８０％など）を超えていないと判定された場合（Ｓ８：Ｎｏ）には、ステップＳ５の処理に戻り、引き続き自動録画が行われる。
【０１０７】
削除処理部１７ｂでは、ステップＳ９において番組情報管理部１７ｅによって決定された保存優先順位の低い番組の情報から順に、自動削除用フォルダＣに格納された全ての情報の合計サイズが、所定値以下になるまで、削除される（Ｓ１０、Ｓ１１）。例えば、この所定値としては、上述した合計サイズの上限値が１００ＧＢの場合、９０ＧＢとする。
【０１０８】
上述したように、本実施の形態に係る削除方法を適用した記録再生装置においては、上記のような作用により、自動録画された情報を、予め定めた削除規則に従って自動的に削除することができる。
【０１０９】
これによって、ユーザは、記録媒体の残り容量を気にしながら、不要となった情報を手動で削除するような手間から解放されるのみならず、ユーザの気付かないうちに、あるいはユーザが予想していたよりも早く記録媒体の記録容量が使い果たされてしまい、それ以降に重要な内容を含む番組があったとしても、もはやそれを記録することができなくなるといった不都合を回避することが可能となる。
【０１１０】
以上により、記録媒体を有効に活用するとともに、ユーザの手間を減らしつつ、ユーザの好みの番組を確実に記録することが可能となる。
【０１１１】
（第２の実施の形態）
本発明の第２の実施の形態を説明する。本発明の第２の実施の形態に係る削除方法を適用した記録再生装置は、第１の実施の形態に係る削除方法を適用した記録再生装置の変形例である。したがって、ここでは、第１の実施の形態と異なる点について説明し、重複説明を避ける。
【０１１２】
すなわち、第１の実施の形態に係る削除方法を適用した記録再生装置では、自動録画された番組の情報を、ハードディスク内に設けられた自動削除用フォルダＣに格納しておき、この自動削除用フォルダＣに格納された情報のサイズが予め定めた上限値を越えた場合には、保存優先順位の低い番組の情報から順に削除している。それに対して、本実施の形態に係る削除方法を適用した記録再生装置では、ハードディスク内に自動削除用フォルダＣを設けず、自動削除対象とされた番組の情報は、ハードディスク内の任意のフォルダに格納される。そして、このようにハードディスク内の任意のフォルダに格納された自動削除対象とされた番組の情報を対象に、その合計サイズが予め定めた上限値を越えた場合には、保存優先順位の低い番組の情報から順に削除する。
【０１１３】
このような機能を実現するために、本実施の形態では、図１０に示すように、プログラム情報ＰＧＩに新たに自動削除対象フラグＡｕｔｏＤｅｌ＿ＦＬＧを付加する。そして、録画予約一覧５２によって確定された自動録画対象の番組の情報については、この自動削除対象フラグＡｕｔｏＤｅｌ＿ＦＬＧに「１」が書き込まれるようにする。
【０１１４】
また、第１の実施の形態と同様に、図６にその一例を示すような録画予約一覧５２において、自動削除指定解除欄５２ｆをマウスクリック等により指定解除すると、自動削除対象フラグＡｕｔｏＤｅｌ＿ＦＬＧに「０」が書き込まれるようにしている。これによって、自動削除の対象から外すこともできるようにしている。
【０１１５】
そして、第１の実施の形態と同様に、録画予約一覧５２に従って自動録画がなされると、データプロセッサ部１４は、録画された情報をハードディスクのルートフォルダＡに書き込む。
【０１１６】
また、総サイズ検出部１７ｄは、ハードディスク内に格納された情報のうち、自動削除対象フラグＡｕｔｏＤｅｌ＿ＦＬＧが「１」に設定された情報、すなわち自動削除の対象とされた情報の合計サイズを検出する。
【０１１７】
番組情報管理部１７ｅは、総サイズ検出部１７ｄによって検出された合計サイズが、予め定めた上限値（例えば１００ＧＢ、あるいはハードディスクの総容量の８０％など）を超えた場合には、自動削除対象フラグＡｕｔｏＤｅｌ＿ＦＬＧが「１」に設定された情報、すなわち自動削除の対象とされた情報に対応する番組を対象として保存優先順位を決定する。
【０１１８】
そして、削除処理部１７ｂは、番組情報管理部１７ｅによって決定された保存優先順位の低い番組の情報から順に、自動削除の対象とされた情報の合計サイズが、所定値以下になるまで削除する。例えば、この所定値としては、上述した合計サイズの上限値が１００ＧＢの場合、９０ＧＢとする。
【０１１９】
このような構成とすることによっても、第１の実施の形態と同様の作用効果を奏することができる。なお、自動削除対象フラグＡｕｔｏＤｅｌ＿ＦＬＧは、マイクロコンピュータブロック１７における各部位によって認識されればよいので、ユーザ操作に関しては、第１の実施の形態と何ら変わらず、ユーザは、図５に示すような案内画面５０を用いて自動録画のための設定情報を入力したり、図６に示すような録画予約一覧５２を用いて自動録画の対象から外したり、自動削除対象の情報から外したりするような設定を、第１の実施の形態で説明したものと同様に行うことができる。
【０１２０】
更に、自動録画されたものではない番組の情報に対しても、図１１に示すように、ユーザデファインドプログラムチェーン情報サーチポインタ（ＵＤ＿ＰＧＣＩ＿ＳＲＰ）を構成するデータの１つとして新たに自動削除対象フラグＡｕｔｏＤｅｌ＿ＦＬＧを付加し、この値を「１」に設定することにより、自動削除対象の番組の情報に組み入れることも可能である。
【０１２１】
更にまた、図１０及び図１１に示すように、ムービーセルエントリー情報（Ｍ＿Ｃ＿ＥＰＩ）及びスチルセルエントリーポイント情報（Ｓ＿Ｃ＿ＥＰＩ）についても自動削除対象フラグＡｕｔｏＤｅｌ＿ＦＬＧを付加し、この値を「１」に設定することにより、チャプタ毎に自動削除対象とすることも可能である。
【０１２２】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【０１２３】
【図１】本発明の第１の実施の形態に係る削除方法を適用した記録再生装置の一例を示す機能構成図。
【図２】リアルタイムＤＶＤの管理情報と、映像音声情報の例としてのビデオオブジェクトとの関係を簡単に説明する図。
【図３】オリジナルプログラムチェーン情報の階層構造を示す図。
【図４】ユーザデファインドプログラムチェーン情報の階層構造を示す図。
【図５】設定情報の入力時に表示部から表示される案内画面の一例を示す図。
【図６】表示部から表示された録画予約一覧の一例を示す図。
【図７】ハードディスクに設けられたフォルダ構造の一例を示す図。
【図８】表示部から表示されるフォルダ一覧画面の一例を示す図。
【図９】本発明の第１の実施の形態に係る削除方法を適用した記録再生装置の動作例を示すフローチャート。
【図１０】プログラム情報に自動削除対象フラグを付加したオリジナルプログラムチェーン情報の階層構造を示す図。
【図１１】ユーザデファインドプログラムチェーン情報サーチポインタを構成するデータとして自動削除対象フラグを付加したユーザデファインドプログラムチェーン情報の階層構造を示す図。
【符号の説明】
【０１２４】
１０…記録再生装置、１１…光ディスク、１２…ディスクドライブ部、１３…ハードディスクドライブ部、１４…データプロセッサ部、１５…エンコーダ部、１６…デコーダ部、１７…マイクロコンピュータブロック、１７ａ…予約情報管理部、１７ｂ…削除処理部、１７ｃ…フォルダ情報管理部、１７ｄ…総サイズ検出部、１７ｅ…番組情報管理部、１７ｆ…ワークＲＡＭ、１７ｇ…フォルダ検出部、１８…バッファメモリ、１９…フォーマッタ、２０…Ａ／Ｖ入力部、２１…ＴＶチューナー部、２２…ビデオミキシング部、２３…オーディオセレクタ、２４…表示部、２５…モニターディスプレイ、２６…キー入力部、２７…ＳＴＣ、２８…フレームメモリ、３０…デジタルアナログ変換器、３１…デジタルアナログ変換器、３２…スピーカ、３３…イーサネット（登録商標）、３４…通信ネットワーク、３５…電子番組表サーバ、５０…案内画面、５０ａ…キーワード、５０ｂ…ジャンル、５０ｃ…時間帯、５０ｄ…チャンネル、５０ｅ…再放送番組を含むか否かの指定、５２…録画予約一覧、５２ｂ…チャンネル、５２ｃ…日付、５２ｄ…放映時刻、５２ｅ…番組名、５２ａ…キャンセル欄、５２ｆ…自動削除指定解除欄
【図１】
2006323896.tif 000003
【図２】
2006323896.tif 000004
【図３】
2006323896.tif 000005
【図４】
2006323896.tif 000006
【図５】
2006323896.tif 000007
【図６】
2006323896.tif 000008
【図７】
2006323896.tif 000009
【図８】
2006323896.tif 000010
【図９】
2006323896.tif 000011
【図１０】
2006323896.tif 000012
【図１１】
2006323896.tif 000013